(57)【要約】  レイアウトスペースを増大させることなく、バッテリパックケース外部へ凝縮水を排出することができる。  バッテリ温調装置は、バッテリスタック（２）と、バッテリ温度を検出する温度センサ（Ｔ）と、バッテリ温度を調整するバッテリ温調手段と、を収納するバッテリパックケース（１）を備える。このバッテリ温調装置において、バッテリパックケース（１）は、バッテリパックケース（１）内部から外部への気体の通過を許容する通気部（１７）を有する。バッテリ温調手段は、エバポレータ（３２）と、エバポレータ（３２）にて発生した凝縮水を貯める凝縮水貯水部（３３）と、エバポレータ（３２）及び凝縮水貯水部（３３）近傍の空気を送風してバッテリパックケース（１）内に循環させるブロアファン（３５）と、を有して構成される。バッテリ温調手段は、バッテリ温度が第１設定温度より高い場合にバッテリ冷却を実施後、所定のタイミングで、バッテリ温度に関わらず、ブロアファン（３５）のみを駆動する。
2015050226.tif 000002
【特許請求の範囲】
【請求項１】
バッテリモジュールと、
前記バッテリモジュールの温度を検出する温度検出手段と、
前記バッテリモジュールの温度を調整するバッテリ温調手段と、
前記バッテリモジュール及び前記バッテリ温調手段を収納するバッテリパックケースと、
を備えたバッテリ温調装置において、
前記バッテリパックケースは、該バッテリパックケース内部から外部への気体の通過を許容する通気部を有し、
前記バッテリ温調手段は、通過する空気を冷却する冷却用熱交換器と、前記冷却用熱交換器にて発生した凝縮水を貯める凝縮水貯水部と、前記冷却用熱交換器及び前記凝縮水貯水部近傍の空気を送風して前記バッテリパックケース内に循環させる送風手段と、を有して構成され、
前記バッテリ温調手段は、
前記温度検出手段によって検出されたバッテリモジュールの温度が予め定められた所定温度より高い場合は、前記冷却用熱交換器によって通過する空気を冷却すると共に、前記送風手段を駆動してバッテリモジュールの冷却を実施し、
該バッテリモジュールの冷却の実施が終了した後の所定のタイミングで、前記温度検出手段によって検出されるバッテリモジュールの温度に関わらず、前記送風手段のみを駆動する
ことを特徴とするバッテリ温調装置。
【請求項２】
請求項１に記載されたバッテリ温調装置において、
該バッテリパックケースは車両に搭載されて、前記バッテリモジュールは電力を車載機器へ供給する車両用電源装置であって、
前記所定のタイミングは、前記バッテリモジュールの冷却を実施後の、次回の車両起動時である
ことを特徴とするバッテリ温調装置。
【請求項３】
請求項１または請求項２に記載されたバッテリ温調装置において、
前記バッテリ温調手段は、前記バッテリモジュールの冷却を実施中の前記送風手段の駆動出力よりも、前記所定のタイミングにおいて駆動する際の前記送風手段の駆動出力を低く設定する
ことを特徴とするバッテリ温調装置。
【請求項４】
請求項１から請求項３までの何れか一項に記載されたバッテリ温調装置において、
前記バッテリモジュールの冷却は、前記バッテリモジュールの充電時のみに実施する
ことを特徴とするバッテリ温調装置。
【請求項５】
請求項４のバッテリ温調装置において、
前記バッテリモジュールは該バッテリパックケース外部の電源である外部電源と電気的に接続及び切断可能に構成されると共に、前記外部電源と電気的に接続した状態で該外部電源から供給される電力によって充電され、
前記バッテリモジュールの充電時は、該バッテリモジュールが前記外部電源と接続されている時である
ことを特徴とするバッテリ温調装置。
【請求項６】
請求項１から請求項５までの何れか一項に記載されたバッテリ温調装置において、
前記バッテリ温調手段は、
前記送風手段のみの駆動開始から所定の駆動時間の間、前記送風手段のみを駆動し、
前記駆動時間を、前記凝縮水の発生量から決定し、該凝縮水の発生量を、前記バッテリパックケースの空気体積、前記バッテリモジュールの冷却使用頻度、及び、代表環境温湿度から決定する
ことを特徴とするバッテリ温調装置。
【請求項７】
請求項６に記載されたバッテリ温調装置において、
前記バッテリ温調手段は、前記送風手段のみの駆動開始からの経過時間をカウントし、その経過時間が前記所定の駆動時間となる前に車両が停止した場合、そのカウントを停止すると共に前記経過時間と所定の駆動時間との差を記憶し、次回の車両起動時には該車両起動からの経過時間が前記経過時間と所定の駆動時間との差となるまで前記送風手段のみを駆動する
ことを特徴とするバッテリ温調装置。
【請求項８】
請求項６または請求項７に記載されたバッテリ温調装置において、
前記バッテリ温調手段は、前記送風手段のみの駆動開始からの経過時間をカウントし、その経過時間が前記所定の駆動時間となる前に車両が停止した場合、そのカウントを停止すると共に前記経過時間と所定の駆動時間との差を記憶し、車両停止後かつ次回の車両起動時前に、前記バッテリモジュールの冷却が実施された場合、停止したカウントをリセットし、前記所定の駆動時間を設定する
ことを特徴とするバッテリ温調装置。
【請求項９】
請求項６から請求項８までの何れか一項に記載されたバッテリ温調装置において、
前記バッテリ温調手段は、加熱用のヒータを有し、
前記バッテリ温調手段は、前記駆動時間をカウントしている場合に、前記ヒータを駆動して前記バッテリモジュールの加熱を実施する場合、そのカウントを停止すると共に該駆動時間をゼロにする
ことを特徴とするバッテリ温調装置。
【請求項１０】
請求項１から請求項９までの何れか一項に記載されたバッテリ温調装置において、
前記バッテリ温調手段は、前記凝縮水貯水部を有する通風経路部を有し、
前記送風手段は、前記通風経路部を通じて前記冷却用熱交換器及び前記凝縮水貯水部近傍の空気を送風して前記バッテリパックケース内に循環させる手段であり、
前記通風経路部に、少なくとも前記通気部の近傍まで延びるダクトを接続し、
前記送風手段が送風する前記冷却用熱交換器及び前記凝縮水貯水部近傍の空気を、前記通気部へ向かって吹き出す吹出口を前記ダクトに設けた
ことを特徴とするバッテリ温調装置。
【発明の詳細な説明】
【技術分野】
【０００１】
本発明は、バッテリパックケース内に発生する凝縮水を外部へ排出するバッテリ温調装置に関する。
【背景技術】
【０００２】
車載用バッテリの冷却装置において、バッテリを冷却する際に冷却ユニットで生じた結露水（凝縮水）をバッテリケース外部へ排出するために、プラグ部材を有する開閉機構を設けたものが知られている（例えば、特許文献１参照）。
【先行技術文献】
【特許文献】
【０００３】
【特許文献１】特開2011-198713号公報
【発明の概要】
【発明が解決しようとする課題】
【０００４】
しかしながら、従来の車載用バッテリの冷却装置にあっては、冷却ユニットに開閉機構を設けた場合、プラグ部材等の開閉のための部品が必要となるため、レイアウトスペースが増大してしまう、という問題があった。【０００５】
本発明は、上記問題に着目してなされたもので、レイアウトスペースを増大させることなく、バッテリパックケース外部へ凝縮水を排出することができるバッテリ温調装置を提供することを目的とする。
【課題を解決するための手段】
【０００６】
上記目的を達成するため、本発明のバッテリ温調装置は、バッテリモジュールと、前記バッテリモジュールの温度を検出する温度検出手段と、前記バッテリモジュールの温度を調整するバッテリ温調手段と、前記バッテリモジュール及び前記バッテリ温調手段を収納するバッテリパックケースと、を備えている。
このバッテリ温調装置において、前記バッテリパックケースは、該バッテリパックケース内部から外部への気体の通過を許容する通気部を有している。
前記バッテリ温調手段は、通過する空気を冷却する冷却用熱交換器と、前記冷却用熱交換器にて発生した凝縮水を貯める凝縮水貯水部と、前記冷却用熱交換器及び前記凝縮水貯水部近傍の空気を送風して前記バッテリパックケース内に循環させる送風手段と、を有して構成されている。
また、前記バッテリ温調手段は、前記温度検出手段によって検出されたバッテリモジュールの温度が予め定められた所定温度より高い場合は、前記冷却用熱交換器によって通過する空気を冷却すると共に、前記送風手段を駆動してバッテリモジュールの冷却を実施する。さらに、前記バッテリ温調手段は、該バッテリモジュールの冷却の実施が終了した後の所定のタイミングで、前記温度検出手段によって検出されるバッテリモジュールの温度に関わらず、前記送風手段のみを駆動する。
【発明の効果】
【０００７】
よって、バッテリパックケースは通気部を有し、バッテリ温調手段により、バッテリモジュールの冷却の実施が終了した後の所定のタイミングで、温度検出手段によって検出されるバッテリモジュールの温度に関わらず、送風手段のみが駆動される。
すなわち、バッテリ温調装置において、バッテリ冷却（バッテリモジュールの冷却）の実施により、冷却用熱交換器にて凝縮水が発生し、この凝縮水は、バッテリ冷却実施後、凝縮水貯水部に貯められ、周囲空気との水蒸気分圧差に応じて蒸発していく。
所定のタイミングであるこの凝縮水の蒸発中に、冷却用熱交換器による冷却を行わずに送風手段のみを駆動させるので、バッテリパックケース内は強制対流状態となり、冷却用熱交換器及び凝縮水貯水部近傍に局所的に発生した水蒸気（空気）がバッテリパックケース内へ拡散される。このため、バッテリパックケース内の水蒸気分圧は、冷却用熱交換器及び凝縮水貯水部近傍から通気部までの勾配が緩やかになり、通気部近傍の水蒸気分圧が、送風手段を駆動させない場合の通気部近傍の水蒸気分圧よりも大きくなる。
したがって、通気部からバッテリパックケース外部へ水蒸気になった凝縮水の排出を効率よく行うことができる。
この結果、付加的な駆動部品等を追加しないことでレイアウトスペースを増大させることなく、バッテリパックケース外部へ凝縮水を排出することができる。
【図面の簡単な説明】
【０００８】
【図１】実施例１のバッテリ温調装置を採用したバッテリパックBPが搭載された電気自動車を示す概略側面図である。
【図２】実施例１のバッテリ温調装置を採用したバッテリパックBPが搭載された電気自動車を示す概略底面図である。
【図３】実施例１のバッテリ温調装置を採用したバッテリパックBPを示す全体斜視図である。
【図４】実施例１のバッテリ温調装置を採用したバッテリパックBPを示すバッテリパックケースアッパーカバーを外した斜視図である。
【図５】実施例１のバッテリ温調装置を採用したバッテリパックBPの内部構成と温調風の流れを示すバッテリパックケースアッパーカバーを外した平面図である。
【図６】温調ユニット周囲における温調構成を示す斜視図である。
【図７】温調ユニット周囲における温調構成と温調風の流れを示す図５のＡ部拡大図である。
【図８】温調ユニットの主要構成を簡略的に示す断面図であって、図７のＩＩ−ＩＩ線における断面図である。
【図９】実施例１のバッテリ温調装置を採用したバッテリパックBPの主要構成を示す分解斜視図であって、配風ダクトの構成を示す斜視図である。
【図１０】図９のバッテリパックBPの主要構成を組み合わせた斜視図であって、通気部と吹出口との配置関係を示す斜視図である。
【図１１】実施例１のバッテリパックBPを示す断面図であって、図１０のＩＩＩ−ＩＩＩ線における断面図である。
【図１２】車両充電時の凝縮水排出制御の処理の流れを示す動作フローである。
【図１３】車両起動時/再起動時の凝縮水排出制御の処理の流れを示す動作フローである。
【図１４】車両起動時の凝縮水排出制御、及び、車両再起動時の凝縮水排出制御のそれぞれの制御における動作を示すタイムチャートである。
【図１５】バッテリ冷却時の凝縮水排出制御、及び、バッテリ加熱時の凝縮水排出制御のそれぞれの処理の流れを示す動作フローである。
【図１６】バッテリ冷却時の凝縮水排出制御、及び、バッテリ加熱時の凝縮水排出制御のそれぞれの制御における動作を示すタイムチャートである。
【発明を実施するための形態】
【０００９】
以下、本発明のバッテリ温調装置を実現する最良の形態を、図面に示す実施例１に基づいて説明する。
【実施例１】
【００１０】
まず、構成を説明する。
実施例１のバッテリ温調装置における構成を、「バッテリパックBPの車載構成」、「バッテリパックBPの全体詳細構成」、「バッテリ温調装置の詳細構成」、「制御システム構成」に分けて説明する。【００１１】
［バッテリパックBPの車載構成］
図１及び図２は、実施例１のバッテリ温調装置を採用したバッテリパックBPが搭載された電気自動車を示す。以下、図１及び図２に基づき、バッテリパックBPの車載構成を説明する。【００１２】
前記バッテリパックBPは、図１に示すように、フロアパネル１００の下部である床下のホイールベース中央部位置に配置される。フロアパネル１００は、モータルーム１０１と車室１０２を画成するダッシュパネル１０４との接続位置から車両後端位置まで設けられ、車両前方から車両後方までのフロア面凹凸を抑えたフラット形状としている。車室１０２には、インストルメントパネル１０５と、センターコンソールボックス１０６と、エアコンユニット１０７と、乗員シート１０８と、を有する。なお、車両前方のモータルーム１０１には、エアコンユニット１０７で用いる冷媒を圧縮するエアコンコンプレッサ１０３が配置される。【００１３】
前記バッテリパックBPは、図２に示すように、車体強度部材である車体メンバに対して８点支持される。車体メンバは、車両前後方向に延びる一対のサイドメンバ１０９，１０９と、一対のサイドメンバ１０９，１０９を車幅方向に連結する複数のクロスメンバ１１０，１１０，…と、を有して構成される。バッテリパックBPの両側は、一対の第１サイドメンバ支持点Ｓ１，Ｓ１と一対の第１クロスメンバ支持点Ｃ１，Ｃ１と一対の第２サイドメンバ支持点Ｓ２，Ｓ２により６点支持される。バッテリパックBPの後側は、一対の第２クロスメンバ支持点Ｃ２，Ｃ２により２点支持されている。【００１４】
前記バッテリパックBP（強電バッテリ）は、図１に示すように、ダッシュパネル１０４に沿って車両前後方向に配索した充放電ハーネス１１１を介し、モータルーム１０１に配置されている強電モジュール１１２（DC/DCコンバータ＋充電器＋１２Ｖバッテリ）と接続される。なお、１２Ｖバッテリには、車両起動中、DC/DCコンバータを介して、前記バッテリパックBP（強電バッテリ）から電力が供給される。このモータルーム１０１には、強電モジュール１１２以外に、インバータ１１３と、モータ駆動ユニット１１４（走行用モータ＋減速ギヤ＋デファレンシャルギヤ）と、を有する。モータ駆動ユニット１１４の走行用モータは交流モータであって、バッテリパックBP（バッテリパックBP内部のバッテリスタック２）から出力される直流電力がインバータ１１３によって交流電力に変換されて供給されることで駆動する。また、車両前面位置には、充電ポートリッドを有する充電ポート１１５が設けられ、充電ポート１１５は、充電ハーネス１１７により強電モジュール１１２に接続される。充電ポート１１５は車外の電源である充電スタンド１１８（外部電源）に接続した充電ガン１１９（充電コネクタ）が接続及び切断可能に構成され、充電ポート１１５に充電ガン１１９が接続されることによって、後述するバッテリパックBP内部のバッテリスタック２と充電スタンド１１８とが電気的に接続して、バッテリスタック２が充電スタンド１１８から出力（供給）される電力で充電（急速充電もしくは普通充電）可能となっている。なお、充電ガン１１９の充電ポート１１５の接続/切断は、車両の使用者が充電ガン１１９を充電ポート１１５に挿抜することによって行われる。【００１５】
前記バッテリパックBPは、図外のＣＡＮケーブル等の双方向通信線を介し、統合コントローラ１２０と接続されるとともに、インストルメントパネル１０５内に配置されているエアコンユニット１０７を備えた車載空調システムと接続される。すなわち、バッテリ放電制御（力行制御）やバッテリ充電制御（急速充電制御・普通充電制御・回生制御）等が行われるとともに、バッテリパックBPの内部温度（バッテリ温度）が、冷風及び温風による温調風によって管理制御される。【００１６】
［バッテリパックBPの全体詳細構成］
図３及び図４は、実施例１のバッテリ温調装置を採用したバッテリパックBPの詳細を示す。以下、図３及び図４に基づき、バッテリパックBPの全体詳細構成を説明する。【００１７】
実施例１のバッテリパックBPは、図３及び図４に示すように、バッテリパックケース１と、バッテリスタック２と、温調ユニット３と、サービス・ディスコネクト・スイッチ４（強電遮断スイッチ：以下、「SDスイッチ」という。）と、ジャンクションボックス５と、リチウムイオン・バッテリ・コントローラ６（以下、「LBコントローラ」という。）と、を備えていている。【００１８】
前記バッテリパックケース１は、図３及び図４に示すように、バッテリパックロアフレーム１１とバッテリパックアッパーカバー１２の２部品によって構成される。そして、バッテリパックロアフレーム１１とバッテリパックアッパーカバー１２の外周縁に沿って連続する環状のシール部材を介装し、２部品をボルト締結により固定することで、外部からの水の浸入を阻止可能な水密構造とされている。【００１９】
前記バッテリパックロアフレーム１１は、図４に示すように、車体メンバに対し支持固定されるフレーム部材である。このバッテリパックロアフレーム１１には、バッテリスタック２や他のパック構成要素３，４，５，６を搭載する方形凹部空間を有する。このバッテリパックロアフレーム１１のフレーム前端縁には、冷媒管コネクタ端子１３と充放電コネクタ端子１４と強電コネクタ端子１５（車室内空調用）と弱電コネクタ端子１６とが取り付けられている。【００２０】
前記バッテリパックアッパーカバー１２は、図３に示すように、バッテリパックロアフレーム１１を水密状態で覆うカバー部材である。このバッテリパックアッパーカバー１２には、バッテリパックロアフレーム１１に搭載される各パック構成要素２，３，４，５，６のうち、特にバッテリスタック２の凹凸高さ形状に対応した凹凸段差面形状によるカバー面を有する。
また、バッテリパックアッパーカバー１２は、図３に示すように、バッテリパックケース１内の空気（凝縮水の水蒸気を含む。）を、バッテリパックケース１外部へ排出するための２つの通気部１７を有している。通気部１７は、バッテリパックケース１内部から外部への気体の通過を許容すると共に、バッテリパックケース１外部から内部への液体の通過を防止する様に構成されていることが望ましい。例えば、ゴアテックス（登録商標）等の気体の通過を許容すると共に液体の通過を阻止する素材（膜）を用いて、構成することが考えられる。【００２１】
前記バッテリスタック２（＝バッテリモジュール群）は、図４に示すように、バッテリパックロアフレーム１１に搭載され、第１バッテリスタック２１と第２バッテリスタック２２と第３バッテリスタック２３との３分割スタックにより構成される。各バッテリスタック２１，２２，２３は、二次電池（リチウムイオンバッテリ等）による略直方体形状のバッテリモジュール（＝バッテリ単位）を構成単位とし、複数個のバッテリモジュールを短辺方向に積み重ねた積層体構造である。各バッテリスタック２１，２２，２３の詳しい構成は、下記の通りである。【００２２】
前記第１バッテリスタック２１は、図４に示すように、バッテリパックロアフレーム１１のうち車両後部領域に搭載される。この第１バッテリスタック２１は、複数個のバッテリモジュールを短辺方向に積み重ねたものを用意しておき、バッテリモジュールの積み重ね方向と車幅方向を一致させて搭載する縦積み（例えば、２０枚縦積み）により構成している。【００２３】
前記第２バッテリスタック２２と前記第３バッテリスタック２３のそれぞれは、図４に示すように、バッテリパックロアフレーム１１のうち、第１バッテリスタック２１より前側の車両中央部領域に車幅方向に左右分かれて一対搭載される。この第２バッテリスタック２２と第３バッテリスタック２３は、全く同じパターンによる平積み構成としている。すなわち、複数枚（例えば、４枚と５枚）のバッテリモジュールを短辺方向に積み重ねたものを複数個（例えば、４枚積みを１組、５枚積みを２組）用意しておく。そして、バッテリモジュールの積み重ね方向と車両上下方向を一致させた平積み状態としたものを、例えば、車両後方から車両前方に向かって順に４枚平積み・５枚平積み・５枚平積みというように、車両前後方向に整列させることで構成している。第２バッテリスタック２２は、図４に示すように、前側バッテリスタック部２２ａ，２２ｂと、前側バッテリスタック部２２ａ，２２ｂより高さ寸法がさらに１枚分低い後側バッテリスタック部２２ｃと、を有する。第３バッテリスタック２３は、図４に示すように、前側バッテリスタック部２３ａ，２３ｂと、前側バッテリスタック部２３ａ，２３ｂより高さ寸法がさらに１枚分低い後側バッテリスタック部２３ｃと、を有する。【００２４】
前記温調ユニット３は、図４に示すように、バッテリパックロアフレーム１１のうち車両前側空間の右側領域に配置され、バッテリパックBPの後述する配風ダクト９に温調風（冷風、温風）を送風する。【００２５】
前記SDスイッチ４は、図３及び図４に示すように、バッテリパックロアフレーム１１のうち車両前側空間の中央部領域に配置され、手動操作によりバッテリ強電回路を機械的に遮断するスイッチである。バッテリ強電回路は、内部バスバーを備えた各バッテリスタック２１，２２，２３と、ジャンクションボックス５と、SDスイッチ４と、を互いにバスバーを介して接続することで形成される。このSDスイッチ４は、強電モジュール１１２やインバータ１１３等の点検や修理や部品交換等を行う際、手動操作によりスイッチ入とスイッチ断が切り替えられる。【００２６】
前記ジャンクションボックス５は、図３及び図４に示すように、バッテリパックロアフレーム１１のうち車両前側空間の左側領域に配置され、リレー回路により強電の供給/遮断/分配を集中的に行う。このジャンクションボックス５には、温調ユニット３の制御を行う温調用リレー５１と温調用コントローラ５２が併設されている。ジャンクションボックス５と外部の強電モジュール１１２は、充放電コネクタ端子１４と充放電ハーネス１１１を介して接続される。ジャンクションボックス５と統合コントローラ１２０は、弱電ハーネスを介して接続される。【００２７】
前記LBコントローラ６は、図４に示すように、第１バッテリスタック２１の左側端面位置に配置され、各バッテリスタック２１，２２，２３の容量管理・温度管理・電圧管理を行う。このLBコントローラ６は、第１バッテリスタック２１の車両左右方向中央のバッテリモジュール上面に接して設けられている温度センサＴ（図４）から温度検出信号線を介して入力する温度検出信号、バッテリ電圧検出線からのバッテリ電圧検出値、バッテリ電流検出信号線からのバッテリ電流検出信号に基づく演算処理により、バッテリ容量情報やバッテリ温度情報やバッテリ電圧情報を取得する。そして、LBコントローラ６と統合コントローラ１２０は、リレー回路のオン/オフ情報やバッテリ容量情報やバッテリ温度情報等を伝達する弱電ハーネスを介して接続される。
なお、温度センサＴはバッテリパック内部の雰囲気温度をバッテリモジュールの温度（バッテリパックBPの内部温度、バッテリ温度）として検出する温度センサであるが、バッテリモジュールに直接接触して設けられて、バッテリモジュールの温度を検出するものであっても良い。また、図４には単一の温度センサＴを記載しているが、温度センサＴは複数設けられても良い。複数の温度センサＴを設けた場合は、LBコントローラ６は検出された複数のバッテリモジュールの温度のうちの最高温度、あるいは平均値をバッテリモジュールの温度として検出すれば良い。【００２８】
［バッテリ温調装置の詳細構成］
図５〜図１０は、バッテリパックBPに搭載された実施例１のバッテリ温調装置の詳細を示す。以下、図５〜図１０に基づき、バッテリ温調装置の詳細構成を説明する。【００２９】
前記バッテリ温調装置は、図５に示すように、第１バッテリスタック２１と、第２バッテリスタック２２と、第３バッテリスタック２３と、温調ユニット３（バッテリ温調手段）と、配風ダクト９（ダクト）と、を備える。【００３０】
前記第１バッテリスタック２１は、バッテリパックケース１の内部空間の車両後方領域に収納配置される。前記第２，第３バッテリスタック２２，２３は、バッテリパックケース１の内部空間のうち、第１バッテリスタック２１よりも車両前方領域に収納配置されるとともに、スタックの高さ寸法が第１バッテリスタック２１よりも低く設定される。【００３１】
前記温調ユニット３は、図６〜図８に示すように、ユニットケース３１の内部に、風流れ方向の上流側から、エバポレータ３２（冷却用熱交換器）と、凝縮水貯水部３３と、凝縮水貯水部３３を有する通風経路部３４と、ブロアファン３５（送風手段）と、PTCヒータ３６（ヒータ）と、を有して構成される。この温調ユニット３は、車両前後方向の略中央の床下位置に配置されたバッテリパックケース１の内部空間のうち、車両前方のモータルーム１０１に配置されたエアコンコンプレッサ１０３に近い側の位置に配置される。【００３２】
前記ユニットケース３１は、その吐出口にユニットダクト３７が接続される。このユニットダクト３７は、図６に示すように、車幅方向から車両前方向へと曲がり、この車両前方向から車両後方向へと曲がる形状とされ、車両前後方向の中央通路３８ａに臨む端部位置に、配風ダクト９が接続される配風口３７ａを有する。なお、前記通風経路部３４は、ユニットケース３１と、ユニットダクト３７と、を有して構成されている。【００３３】
前記エバポレータ３２は、通過する空気を冷却する。すなわち、エバポレータ３２は、エアコンユニット１０７（車室内エアコン）の冷媒を用いて熱交換を行い、通過する空気から熱を奪って冷風を作り出す。エアコンユニット１０７からの冷媒は、フレーム前端縁に取り付けられた冷媒管コネクタ端子１３を介して、エバポレータ３２に導入される。その冷媒としては、例えば、ガス、または、ロング・ライフ・クーラント（LLC、高性能不凍液）等が使用される。また、このエバポレータ３２は、図７に示すように、ブロアファン３５よりも車両前方位置に配置され、車両前方のフレーム内側面１１ａと略平行かつ対面するように一方のコア面３２ａを配置している。【００３４】
前記凝縮水貯水部３３は、エバポレータ３２にて発生した凝縮水を貯め、通風経路部３４としてのユニットケース３１の内部に配置されている。この凝縮水貯水部３３は、図８に示すように、エバポレータ３２と、ブロアファン３５（送風手段）と、の間に配置されている。【００３５】
前記ブロアファン３５は、パックケース内気を循環させるもので、ブロアモータを水から隔離する防水構造を有する。このブロアファン３５は、図７に示すように、エバポレータ３２の他方のコア面３２ｂとサクション側３５ａ（＝吸込み側）が略平行かつ対面するように配置している。
また、ブロアファン３５は、ユニットケース３１を通じて、エバポレータ３２及び凝縮水貯水部３３近傍の空気（領域Ｍ１）を通気部１７近傍へ送風する。すなわち、後述する配風ダクト９に設けた吹出口９９へエバポレータ３２及び凝縮水貯水部３３近傍の空気（領域Ｍ１）を送風する。【００３６】
前記PTCヒータ３６は、PTCサーミスタ（Positive Temperature Coefficient Thermistor）と呼ばれるセラミック素子（PTC素子）を用い、PTC素子に電流を流すと発熱し、通過する空気に熱を与えて温風を作り出す。PTCヒータ３６としては、例えば、PTC素子の発熱量を大きくするための放熱用フィンを備えたフィンタイプPTCヒータを用いている。【００３７】
前記配風ダクト９は、図５及び図９に示すように、一端がユニットダクト３７の配風口３７ａに接続され、第１〜第３バッテリスタック２１，２２，２３によるＴ字隙間スペース域（中央通路３８ａと該中央通路３８ａに交差する車幅方向の横断通路３８ｂ）に配置された等幅ダクト部９４と拡幅ダクト部９５を介して、他端に車両後方に向けて温調風を吹き出す吹き出し開口９１が形成される。
この配風ダクト９は、図５に示すように、車両前後方向で上面視略長方形状とされたバッテリパックロアフレーム１１の中央部長辺方向に沿って設けられている。また、この配風ダクト９は、少なくとも通気部１７の近傍まで延びている。図１０に示すように、配風ダクト９の他端は、通気部１７よりも車両後方に延びている。【００３８】
前記吹き出し開口９１は、第２，３バッテリスタック２２，２３の上面よりも車両上方に突出した第１バッテリスタック２１のスタック正面上部域２１ａ（図４参照）に沿って車幅方向に延在して対向配置される。【００３９】
前記等幅ダクト部９４は、ユニットダクト３７の配風口３７ａに接続され、図９に示すように、車幅方向の寸法が一定の縦長断面形状を持ち、車両前後方向に延設される。この等幅ダクト部９４の配置には、ダクト断面形状と相似な形状を持つＴ字隙間スペース域の中央通路３８ａによる空間が利用される。すならち、等幅ダクト部９４は、第２，３バッテリスタック２２，２３の間に配置される。【００４０】
前記拡幅ダクト部９５は、等幅ダクト部９４に接続され、図９に示すように、車両後方に向かって車幅方向寸法を徐々に拡大するのに合わせ車両上下方向寸法を徐々に縮小することで形成される。この拡幅ダクト部９５の配置には、Ｔ字隙間スペース域の中央通路３８ａと、前側バッテリスタック部２２ａ，２２ｂより高さ寸法がさらに１枚分低い後側バッテリスタック部２２ｃ，２３ｃの上部に形成される隙間空間と、Ｔ字隙間スペース域の横断通路３８ｂの上部空間と、が利用される。【００４１】
前記配風ダクト９には、図９に示すように、ブロアファン３５が送風するエバポレータ３２及び凝縮水貯水部３３近傍の空気（領域Ｍ１）を、通気部１７へ向かって吹き出す吹出口９９が設けられている。【００４２】
前記吹出口９９は、図９及び図１０に示すように、拡幅ダクト部９５の車幅方向中央部に設けられている。この吹出口９９は、通気部１７と対向している位置に配置され、その数は、通気部１７と同様に２つ設けられている。【００４３】
［制御システム構成］
電気自動車の制御システム構成を説明する。【００４４】
実施例１における前記制御システムとしては、図１に示すように、車両全体の消費エネルギーを適切に管理する機能を担う統合コントローラ１２０を備えている。この統合コントローラ１２０にＣＡＮケーブル等の双方向通信線を介して接続される制御手段として、車載空調システム、及び、バッテリの充電状態を検出するSOCセンサ等を有する。また、この統合コントローラ１２０に各種情報を伝達する弱電ハーネスを介して双方向通信可能に接続される制御手段として、ジャンクションボックス５と、ジャンクションボックス５に併設されている温調用リレー５１及び温調用コントローラ５２（バッテリ温調手段）と、LBコントローラ６等を有する。【００４５】
前記統合コントローラ１２０は、各制御手段、イグニッションスイッチ、アクセル開度センサ、車速センサ、車載空調システム、SOCセンサ、ジャンクションボックス５と、LBコントローラ６等からの入力情報に基づき、様々な制御を行う。
このうち、バッテリパックBPのバッテリ温度を最適温度域に調整するバッテリ温度調整制御である。また、エバポレータ３２を使用したバッテリスタック２を冷却するバッテリ冷却を実施中にエバポレータ３２にて発生する凝縮水を、バッテリ冷却を実施後に排出する凝縮水排出制御である。なお、この凝縮水排出制御中、エバポレータ３２及びPTCヒータ３６は動作していない。【００４６】
すなわち、バッテリ温度調整制御及び凝縮水排出制御のいずれの制御も、統合コントローラ１２０への様々な入力情報に基づき、統合コントローラ１２０から、温調ユニット３の制御を行う温調用リレー５１及び温調用コントローラ５２へ信号が伝達される。また、バッテリ冷却時には、統合コントローラ１２０から、車載空調システムへ信号が伝達される。以下、「バッテリ温度調整制御」と、「凝縮水排出制御」と、に分けて説明する。【００４７】
［バッテリ温度調整制御］
温度センサＴで検出されたバッテリモジュールの温度（バッテリ温度）であるバッテリ温度情報は、LBコントローラ６等から統合コントローラ１２０へ伝達される。統合コントローラ１２０は、バッテリ温度情報等に基づき、各制御手段へ適切な信号を伝達する。【００４８】
バッテリスタック２の冷却（バッテリ冷却）を実施する時には、統合コントローラ１２０は、車載空調システムへエアコンユニット１０７の冷媒をエバポレータ３２に導入する信号を伝達する。この信号に基づき、車載空調システムは、エアコンユニット１０７の冷媒をエバポレータ３２に導入する。また、このとき、統合コントローラ１２０は、温調用リレー５１及び温調用コントローラ５２へブロアファン３５を駆動する駆動信号を出力する。この駆動信号に基づき、温調用コントローラ５２は、ブロアファン３５を駆動させる。このバッテリ冷却は、バッテリスタック２の充電時のみに実施する。
ここで、「バッテリスタック２の充電時」とは、バッテリスタック２が充電スタンド１１８と接続されている時である。【００４９】
PTCヒータ３６を使用したバッテリスタック２を加熱するバッテリ加熱（バッテリスタック２の加熱）を実施する時には、統合コントローラ１２０は、温調用リレー５１及び温調用コントローラ５２へブロアファン３５及びPTCヒータ３６を駆動する駆動信号を出力する。この駆動信号に基づき、温調用コントローラ５２は、ブロアファン３５及びPTCヒータ３６を駆動させる。【００５０】
［凝縮水排出制御］
凝縮水排出制御の場合、バッテリ冷却を実施後、統合コントローラ１２０は、温調用リレー５１及び温調用コントローラ５２へブロアファン３５を駆動する駆動信号を出力する。この駆動信号には、少なくとも、ブロアファン３５の回転率（駆動出力、ブロアファン回転率（％））、及び、送風手段としてのブロアファン３５の駆動時間（以下、単に、「駆動時間」ともいう。）が含まれている。この駆動信号に基づき、温調用コントローラ５２は、ブロアファン３５を駆動時間の間、駆動させる。
このブロアファン回転率（以下、単に、「回転率」ともいう。）は、０％の時はブロアファン３５が停止し、１００％の時はブロアファン３５が最大回転となる。また、このブロアファン３５の回転率は、「バッテリ温度調整制御」中の回転率よりも、「凝縮水排出制御」中の回転率の方が低く設定されている。
ここで、「駆動時間（所定の駆動時間）」とは、バッテリ冷却を実施しない場合、すなわち、エバポレータ３２を使用しない場合におけるブロアファン３５が駆動する駆動時間であって、バッテリ冷却を実施中に発生する最大量の凝縮水を排出（乾燥）可能な駆動時間である。例えば、駆動時間は、２５分である。この時間は、統合コントローラ１２０にて、凝縮水の発生量から決定する。この凝縮水の発生量は、バッテリパックケース１の空気体積、バッテリスタック２の冷却（バッテリ冷却）使用頻度（例えば、時間）、及び、代表環境温湿度から決定する。なお、代表環境温湿度は、例えば、一般に電気自動車が備えている外気温センサ等から得られる外部環境温湿度、または、LBコントローラ６から統合コントローラ１２０に伝達されるバッテリ温度情報等から決定する。【００５１】
次に、作用を説明する。
実施例１のバッテリ温調装置における作用を、「バッテリパックBPのバッテリ温度調整作用」、「凝縮水排出制御の基本作用」、「車両充電時の動作」、「車両起動時の凝縮水排出制御作用」、「車両再起動時の凝縮水排出制御作用」、「バッテリ冷却時の凝縮水排出制御作用」、「バッテリ加熱時の凝縮水排出制御作用」に分けて説明する。【００５２】
［バッテリパックBPのバッテリ温度調整作用］
バッテリは温度依存度が高く、バッテリ温度が高過ぎても、また、バッテリ温度が低過ぎてもバッテリ性能が低下する。したがって、低外気温時や高外気温時に高いバッテリ性能を維持するためには、バッテリ温度を最適温度域に調整することが好ましい。以下、図５及び図７に基づき、これを反映するバッテリパックBPのバッテリ温度調整作用を説明する。【００５３】
例えば、バッテリ充放電負荷の継続や高い外気温度の影響を受けて、バッテリパックBPの内部温度（温度センサＴによって検出された温度）が第１設定温度（所定温度）より高くなると、冷媒を温調ユニット３のエバポレータ３２に導入し（エバポレータ３２を駆動し）、ブロアファン３５を回す。これによって、図７に示すように、エバポレータ３２を通過する風から熱が奪われて冷風が作り出される。この冷風を、配風ダクト９を介して第１バッテリスタック２１と第２バッテリスタック２２と第３バッテリスタック２３が搭載されているケース内部空間を循環させることにより、バッテリパックBPの内部温度（＝バッテリ温度）を低下させる。【００５４】
これに対し、例えば、冷風循環や低い外気温度の影響を受けて、バッテリパックBPの内部温度が第２設定温度より低くなると、温調ユニット３のPTCヒータ３６に通電し、ブロアファン３５を回す。これによって、図７に示すように、PTCヒータ３６を通過する風に熱が与えられて温風が作り出される。この温風を、配風ダクト９を介して第１バッテリスタック２１と第２バッテリスタック２２と第３バッテリスタック２３が搭載されているケース内部空間を循環させることにより、バッテリパックBPの内部温度（＝バッテリ温度）を上昇させる。【００５５】
このように、バッテリパックBPの温調制御を行うことで、バッテリパックBPの内部温度を、高いバッテリ性能が得られる第１設定温度〜第２設定温度の範囲内の温度に維持することができる。このとき、第１バッテリスタック２１と第２バッテリスタック２２と第３バッテリスタック２３の温度分布が均等になるように、温調風を吹き出しながら循環させることが重要である。なお、温調風は、図５の矢印「Air flow」で示すように、循環される。【００５６】
［凝縮水排出制御の基本作用］
例えば、結露水（凝縮水）が貯留される貯留部と、該貯留部の底面部に開閉可能に設けられて当該貯留部に溜まった結露水を外部に排出させるプラグ部材を有する開閉機構と、が設けられた車載用バッテリの冷却装置を比較例とする。この比較例の車載用バッテリの冷却装置によれば、バッテリケース内への水分の浸入を防止しつつ、バッテリを冷却する際に生じる結露水（凝縮水）を良好に外部に排出するようにしている。【００５７】
しかし、冷却ユニットに開閉機構を設けた場合、プラグ部材等の開閉のための部品が必要となるため、レイアウトスペースが増大してしまう。【００５８】
このように、プラグ部材等の開閉のための部品が必要となるため、レイアウトスペースが増大してしまうという課題があった。【００５９】
これに対し、実施例１では、バッテリパックケース１は通気部１７を有し、温調用コントローラ５２により、バッテリ冷却の実施が終了した後の所定のタイミングで、温度センサＴによって検出されるバッテリモジュールの温度に関わらず、ブロアファン３５が駆動される構成を採用した。【００６０】
すなわち、バッテリ温調装置において、バッテリ冷却の実施により、エバポレータ３２にて凝縮水が発生し、この凝縮水は、バッテリ冷却実施後、凝縮水貯水部３３に貯められ、周囲空気との水蒸気分圧差に応じて蒸発していく（エバポレータ３２及び凝縮水貯水部３３近傍の空気（凝縮水の水蒸気））。【００６１】
このとき、ブロアファン３５を駆動させなければ、エバポレータ３２及び凝縮水貯水部３３近傍の水蒸気（凝縮水の水蒸気）分圧は、凝縮水の蒸発により上昇する。この上昇により、バッテリパックケース１内の水蒸気分圧は、エバポレータ３２及び凝縮水貯水部３３近傍から通気部１７までの勾配が、エバポレータ３２及び凝縮水貯水部３３近傍の水蒸気分圧は高く、通気部１７近傍の水蒸気分圧は低い、という分布になる。このため、通気部１７近傍の水蒸気分圧は、低い状態が続くので、凝縮水の蒸発によるバッテリパックケース１内の体積膨張によって、通気部１７からバッテリパックケース１外部へ水蒸気になった凝縮水が排出される。【００６２】
一方、実施例１では、所定のタイミングであるこの凝縮水の蒸発中に、エバポレータ３２による冷却を行わずに（エバポレータ３２を駆動せずに）ブロアファン３５のみを駆動させるので、バッテリパックケース１内は強制対流状態（循環状態）となり、エバポレータ３２及び凝縮水貯水部３３近傍に局所的に発生した水蒸気（空気）がバッテリパックケース１内へ拡散される。このため、バッテリパックケース１内の水蒸気分圧は、エバポレータ３２及び凝縮水貯水部３３近傍から通気部１７までの勾配が緩やかになり、通気部１７近傍の水蒸気分圧が、ブロアファン３５を駆動させない場合の通気部１７近傍の水蒸気分圧よりも大きくなる。【００６３】
したがって、通気部１７からバッテリパックケース１外部へ水蒸気になった凝縮水の排出を効率よく行うことができる。【００６４】
この結果、付加的な駆動部品等を追加しないことでレイアウトスペースを増大させることなく、バッテリパックケース１外部へ凝縮水を排出することができる。【００６５】
加えて、配風ダクト９及び吹出口９９が設けられているので、図１１に示すように、ブロアファン３５の駆動により送風されるエバポレータ３２及び凝縮水貯水部３３近傍の空気が、配風ダクト９を通って吹出口９９から、通気部１７へ向かって吹き出される（矢印Ｍ２）。これにより、実施例１では、通気部１７の近傍まで延びる配風ダクト９及び吹出口９９を設けない場合よりも、多くのエバポレータ３２及び凝縮水貯水部３３近傍の空気が通気部１７へ送風される。このため、実施例１では、配風ダクト９及び吹出口９９を設けない場合よりも、通気部１７から排出されるエバポレータ３２及び凝縮水貯水部３３近傍の空気、すなわち、水蒸気になった凝縮水の水量を増やすことができる。この結果、凝縮水の排出信頼性を向上することができる。
しかも、バッテリ冷却を実施中は、通気部１７に循環風すなわち動圧が当たることにより、バッテリパックケース１外部からの空気すなわち水分の浸入が抑制されるので、バッテリパックケース１内での凝縮水の発生量を低減することができる。【００６６】
さらに、凝縮水排出制御中、ブロアファン３５の回転率は、上述した水蒸気になった凝縮水を排出することができるような回転率であればよい。すなわち、ブロアファン３５の回転率は、バッテリパックケース１内が強制対流状態となり、凝縮水の蒸発速度を上昇させることができる回転率であればよい。このため、ブロアファン３５の回転率を最小必要回転率まで下げられるので、ブロアファン３５による騒音、振動、及び消費電力を抑えることができる。しかも、そのようにブロアファン回転率を下げることにより、車両走行中のブロアファン３５の総回転率が抑えられ、ブロアファン３５の寿命を伸ばすことができる。【００６７】
そして、バッテリ冷却が、バッテリスタック２の充電中のみに実施されることにより、バッテリパックケース１内が除湿される時間と、除湿されるタイミング（時期）が規定されるので、凝縮水の発生量が限定される。これにより、凝縮水貯水部３３の大きさ（容積等）を凝縮水の発生量に応じて適正化することで、温調ユニット３の一部のスペースを削減することができる。
しかも、車両走行中に、バッテリ冷却を実施しない（エバポレータ３２を駆動しない）。すなわち、バッテリスタック２が充電スタンド１１８と接続されているバッテリスタック２の充電時に、バッテリ冷却が実施される。このため、充電スタンド１１８から供給される電力を用いてバッテリ冷却を行うことができる。これにより、その分（バッテリ冷却分）の電力が消費されることがなく、車両の走行距離を伸ばすことができる。したがって、車両の航続可能距離を短縮すること無くバッテリスタック２を最適な温度に制御することができる。【００６８】
［車両充電時の動作］
以下、「車両充電時の動作」について、図１２の動作フロー及び図１４の各動作のタイムチャートに基づいて詳しく説明する。なお、図１４の縦軸は、上から順に、車両状態（起動・停止・充電状態）、バッテリ温度調整制御（冷却・加熱・OFF（何もしない状態））、ブロアファン回転率（％）、駆動時間（分）が示されている。図１４の横軸は、時間を表していて、「ｔ」はその時刻を表している。【００６９】
ステップＳ１０（時刻ｔ０）では、バッテリスタック２のバッテリ充電開始が判断される。このバッテリ充電の開始は、例えば充電スタンド（外部電源）の充電ガンが充電ポート１１５に接続された（挿入された）ことを検出して、バッテリの充電開始と判断する。もしくは、充電器からの電力供給が開始されたことを検出して充電開始を判断しても良いが、本実施形態においては充電ガンが充電ポート１１５に接続されたことを検出して、バッテリ充電開始と判断する。すなわち、図１２のフローは、バッテリ充電開始と判断された際に起動し、ステップＳ１１へ進む。このとき（時刻ｔ０）、バッテリ温度調整制御及びブロアファン３５は動作していない。また、ブロアファン（送風手段）の駆動時間は０分となっている。【００７０】
ステップＳ１１（時刻ｔ１）では、バッテリパックBPの内部温度（バッテリ温度）と予め設定した第１設定温度とを比較して、バッテリ充電により、バッテリパックBPの内部温度が上昇し、第１設定温度より高くなっているか否かを判定する。バッテリパックBPの内部温度が第１設定温度より高くなっている場合にはステップＳ１２へ進み、バッテリパックBPの内部温度が第１設定温度以下である場合にはステップＳ１１１へ進んで、バッテリ充電が終了したか否かの判定を行う。ステップＳ１１１にてバッテリの充電が終了したと判断された場合には本フローを終了し、そうでない場合（すなわちバッテリ充電中と判断された場合）にはステップＳ１１へ戻り、再度バッテリパックBPの内部温度と予め設定した第１設定温度との比較を行う。なお、バッテリ充電の終了は充電開始の判断と同様に、充電スタンド１１８の充電ガン１１９が充電ポート１１５から切断された（抜き出された）、もしくは充電スタンド１１８からの電力供給が停止したことを検出することによって判断することが可能であるが、本実施形態においては充電スタンド１１８の充電ガン１１９が充電ポート１１５から切断されたことを検出して、バッテリ充電の終了を判断するものとする。【００７１】
ステップＳ１２（時刻ｔ１）では、ステップＳ１１のバッテリ温度の上昇により、バッテリパックBPの内部温度を低下させるべく、バッテリ冷却が開始（実施）される。すなわち、冷媒を温調ユニット３のエバポレータ３２に導入し、ブロアファン３５を回転率１００％にて駆動させる。【００７２】
ステップＳ１３（時刻ｔ１）では、ステップＳ１２のバッテリ冷却により凝縮水が発生するので、バッテリ冷却を実施した後に凝縮水排出制御を実施するために、駆動時間を予め設定した所定時間（例えば２５分）に設定して記憶（メモリに上書き）する。例えば、統合コントローラ１２０に記憶される。なお、既に別の駆動時間が設定されている場合でも、その時間をリセットし、駆動時間を予め設定した所定時間（例えば２５分）に設定する。【００７３】
ステップＳ１４ではステップＳ１１１と同様に、バッテリ充電が終了したか否かの判定を行う。すなわち、充電スタンド１１８の充電ガン１１９が充電ポート１１５から切断されている（抜き出されている）か否かを判定する。バッテリ充電が終了している場合はステップＳ１５に進み、そうでない場合はステップＳ１４１へ進む。【００７４】
ステップＳ１４１では、バッテリ冷却により、予め定められた第１設定温度よりも低い第２設定温度以下までバッテリ温度が低下したか否かを判定する。バッテリ温度が第２設定温度以下まで低下している場合は、ステップＳ１５へ進んでバッテリ冷却が終了される（時刻ｔ２）。このとき、ステップＳ１２にて開始されたバッテリ冷却動作を停止させるので、回転率が１００％から０％に設定されて、ブロアファン３５が停止される。一方、バッテリ温度が第２設定温度よりも高い場合には再度ステップＳ１４に戻ってバッテリ冷却を継続する。【００７５】
ステップＳ１６では、ステップＳ１４と同様に、バッテリ充電が終了したか否かの判定を行う。すなわち、充電スタンド１１８の充電ガン１１９が充電ポート１１５から切断されている（抜き出されている）か否かを判定する。バッテリ充電が終了している場合（時刻ｔ３）は駆動時間を所定時間（２５分）に設定した状態（駆動時間を記憶、保持した状態）で、車両は停止状態（シャットダウン状態、すなわちイグニッション・オフ状態）に移行すると共に本制御フローを終了する。一方、バッテリ充電が終了していない場合（すなわち、ステップＳ１４のＮＯ→Ｓ１４１のＹＥＳ→Ｓ１５を通ってＳ１６へ進んだ場合）はステップＳ１１に戻って充電を継続する。【００７６】
［車両起動時の凝縮水排出制御作用］
以下、「車両起動時の凝縮水排出制御作用」について、図１３の動作フロー及び図１４の各動作のタイムチャートに基づいて詳しく説明する。
図１３のフローは、イグニッション・オンにより、車両が停止状態から起動された際（時刻ｔ４、ｔ８）に起動する。以下では、まず、「時刻t４における車両起動時の動作」に関して説明し、「時刻t８における車両起動時における動作（後述する「車両再起動時の凝縮水排出制御作用」内に記載）」は分けて説明する。なお、時刻ｔ４、ｔ８が、バッテリ冷却後の、次回の車両起動時である所定のタイミングに相当する。【００７７】
まず、時刻t４における車両起動時の動作に関して説明する。
ステップＳ１７では、駆動時間が０より大きいか、すなわち駆動時間が設定されているか否かを判定する。駆動時間が設定されている場合にはステップＳ１８へ進み、設定されていない場合には制御を終了する。
ステップＳ１８（時刻ｔ４）では、駆動時間のカウントダウンが開始される。このとき、ブロアファン３５を回転率４０％にて駆動させる。図１４に示すように、時刻ｔ４から時刻ｔ５までの間、駆動時間はステップＳ１３あるいは後述するステップＳ２２で記憶した駆動時間から経過時間を減算してカウントダウンされる。この駆動時間に駆動するブロアファン３５は、１２Ｖバッテリにより駆動される。この１２Ｖバッテリは、車両起動中、DC/DCコンバータを介して、前記バッテリパックBP（強電バッテリ）から電力が供給される。【００７８】
ステップＳ１９では、ステップＳ１８（時刻ｔ４）からカウントダウンを開始した駆動時間が０分に到達したか否かを判定する。すなわち、ステップＳ１８でブロアファン３５を駆動開始した時点からの経過時間（カウント時間）が記憶された駆動時間以上となったかを判定する。駆動時間のカウントダウンが０分に到達した場合（時刻ｔ５）、ステップＳ２０へ進んでブロアファン３５の回転率を４０％から０％に設定して、ブロアファン３５を停止すると共に、駆動時間のカウントダウンを停止する。一方、駆動時間のカウントダウンが０分に到達していない場合はステップＳ２１へ進む。【００７９】
ステップＳ２１では、イグニッション・オフにより車両が停止したか否かを判定し、車両が停止したと判定した場合にはステップＳ２２に進んで、カウントダウン開始から時間の経過と共に減算した駆動時間の残り時間を記憶してステップＳ２０へ進み、ブロアファン３５を停止すると共に駆動時間のカウントダウンを停止して処理を終了する。一方、車両が停止していないと判定した場合には、ステップＳ１９へ進んで駆動時間が０となるまでカウントダウンを継続する。【００８０】
なお、ステップＳ１７からステップＳ２０までの動作が、「車両起動時の凝縮水排出制御」に相当する。【００８１】
以上の動作のうち、ステップＳ１５（時刻ｔ２）からステップＳ１６で充電終了が判定される時点（時刻ｔ３）まで、及び、ステップＳ１７で車両の起動が判定される時点（時刻ｔ４）から車両起動中の間は、バッテリスタック２が通電されているので、バッテリパックBP内の空気温度が上昇する。この温度上昇により、バッテリパックBPの内部圧力は、この外部圧力と比較すると相対的に上がる。このため、バッテリパックBPの内部圧力及び外部圧力には圧力差が生じるので、水蒸気になった凝縮水が排出されやすくなる。
また、その温度上昇により、凝縮水の蒸発が促進され、水蒸気になった凝縮水の水量が増加する。【００８２】
この結果、より多くの水蒸気となった凝縮水を通気部１７から排出することができると共に、その水蒸気となった凝縮水を一層排出しやすくすることができる。なお、一般的に、ブロアファン３５を駆動させるための消費電力は、エバポレータ３２の駆動電力に比して非常に小さいため、ほぼ航続距離に影響を及ばさない電力量となっている。【００８３】
加えて、駆動時間は、バッテリパックケース１の空気体積、バッテリスタック２の冷却（バッテリ冷却）使用頻度、及び、代表環境温湿度から決定される。このため、駆動時間を、バッテリパックケース１内、または、温調ユニット３に湿度センサ等を設ける必要がなく決定することができる。【００８４】
この結果、バッテリパックケース１内、または、温調ユニット３の部品点数を削減することができる。【００８５】
さらに、車両起動中、ブロアファン３５は、１２Ｖバッテリにより駆動される。この１２Ｖバッテリは、車両起動中、バッテリパックBP（強電バッテリ）からの電力供給により充電されるので、１２Ｖバッテリがあがることはない。このため、ブロアファン３５専用の電源が不要となるので、レイアウトスペースを増大させることがない。【００８６】
［車両再起動時の凝縮水排出制御作用］
以下、「車両再起動時の凝縮水排出制御作用」について、図１３の動作フロー及び図１４の各動作のタイムチャートに基づいて詳しく説明する。【００８７】
時刻ｔ６では、バッテリ充電の開始と共に、バッテリ冷却を実施している。これは、車両停止（シャットダウン状態）後からバッテリ充電開始までの間に、車両起動中に上がったバッテリ温度が第１設定温度以下に下がっておらず、バッテリパックBPの内部温度が高温状態であることを表している。なお、時刻ｔ６ではバッテリ充電が開始されることに伴い図１２のフローが起動する。【００８８】
時刻ｔ７ではバッテリ冷却終了と同時にバッテリ充電も終了している。これは、バッテリ冷却終了よりも先にバッテリ充電が終了した可能性が考えられる。この時点で、図１２のフロー中のステップＳ１３で設定した所定時間（２５分）が駆動時間として設定、記憶されている。【００８９】
次に、時刻t８における車両起動時における動作に関して説明する。時刻ｔ８で車両が起動されると、前述の通り図１３のフローが起動し、ステップＳ１７で駆動時間が０より大きいと判定されて、ステップＳ１８にてブロアファン３５が回転率４０％で駆動開始されると共に、図１２のフロー中のステップＳ１３で設定した所定時間（２５分）を初期値とした駆動時間のカウントダウンが開始される。【００９０】
時刻ｔ９では、駆動時間が０になる前にイグニッション・オフにより、車両が停止される。すなわち、ステップＳ１８にてブロアファン３５を駆動開始した時点からの経過時間が駆動時間（２５分）になる前（ステップＳ１９のＮＯ）にイグニッション・オフにより車両が停止され、図１３のフローにおけるステップＳ２１にて肯定判定がなされる。【００９１】
時刻ｔ９では、ステップＳ２１での車両停止に基づき、ステップＳ２２ではステップＳ１８でカウントダウンを開始した駆動時間の残り時間を記憶して、ステップＳ２２からステップＳ２０へ進む。すなわち、Ｓ１３で設定した駆動時間（２５分）から、ブロアファン３５の駆動開始からイグニッション・オフまでの時間を減算した残り時間を記憶した後、ブロアファン３５の回転率が４０％から０％に設定されて、ブロアファン３５が停止される。なお、駆動時間の残り時間は、例えば、統合コントローラ１２０に記憶される。【００９２】
時刻ｔ１０では、イグニッション・オンにより、車両が再起動される。なお、時刻ｔ８での車両起動を最初の車両起動とした場合に対する車両の再起動である。【００９３】
時刻ｔ１０では、車両の再起動に基づいて図１３のフローが再び起動する。この際、図１３のフローにおけるステップＳ１７の判定においては、前回イグニッション・オフ時に残りの駆動時間が記憶されているため、駆動時間は０より大きい時間であると判定され、ステップＳ１８にて残りの駆動時間のカウントダウンが開始され、再び凝縮水排出制御が実施される。このとき、回転率が０％から４０％に設定されて、ブロアファン３５が駆動される。図１４に示すように、時刻ｔ１０から時刻ｔ１１までの間、残りの駆動時間からカウントダウンされる。なお、残りの駆動時間に駆動するブロアファン３５も、１２Ｖバッテリにより駆動され、この１２Ｖバッテリは、車両起動中、バッテリパックBP（強電バッテリ）から電力が供給される。【００９４】
時刻ｔ１１では、残りの駆動時間のカウントダウンが０分に到達するので、ステップＳ１９の判定が肯定判定されてステップＳ２０へ進み、駆動時間のカウントが終了される。このとき、回転率が４０％から０％に設定されて、ブロアファン３５が停止される。【００９５】
以上の動作のうち、時刻ｔ９において、バッテリ冷却を実施中に発生した凝縮水を排出する駆動時間のカウント終了前に車両が停止される。これに伴い、時刻ｔ９において、そのカウントも停止される。そして、時刻ｔ１０での車両の再起動後に、時刻ｔ１０から時刻ｔ１１までにおいて、残りの駆動時間がカウントされる。すなわち、ブロアファン３５を駆動させることにより、吹出口９９から通気部１７へ排出することができる。【００９６】
このため、車両の起動及び停止に応じて、駆動時間のカウントを開始及び停止することにより、駆動時間のカウント終了まで断続的にカウントが行われる。【００９７】
この結果、バッテリ冷却を実施中に発生した凝縮水に応じた凝縮水量に対し、必要な駆動時間が確保されるので、凝縮水の排出信頼性を向上することができる。【００９８】
［バッテリ冷却時の凝縮水排出制御作用］
以下、「バッテリ冷却時の凝縮水排出制御作用」について、図１２及び図１３の動作フロー及び図１６の各動作のタイムチャートに基づいて詳しく説明する。なお、図１６の縦軸は、上から順に、車両状態（起動・停止・充電状態）、バッテリ温度調整制御（冷却・加熱・OFF（何もしない状態））、ブロアファン回転率（％）、駆動時間（分）が示されている。図１４の横軸は、時間を表していて、「ｔ」はその時刻を表している。【００９９】
図１６における時刻ｔ０からt５までの動作は図１４における動作と同様であるので説明を省略する。なお、図１６における時刻ｔ３が、バッテリ冷却後の、次回の車両起動時である所定のタイミングに相当する。【０１００】
時刻ｔ５ではバッテリ充電が開始されることに伴い図１２のフローが起動する。この時点では前回車両停止時（図１６の時刻t４）において記憶した駆動時間の残り時間が記憶されているが、時刻ｔ５にてバッテリ冷却が開始されているので、図１２のステップＳ１３において駆動時間のカウントがリセットされると共に、バッテリ冷却を実施した後に凝縮水排出制御を実施するために、予め定めた所定時間（２５分）が駆動時間として再設定（メモリに上書き）される。その後、バッテリ充電の終了まで図１２のフローに従って制御される。【０１０１】
以上の動作のうち、時刻ｔ４において、バッテリ冷却を実施中に発生した凝縮水を排出する駆動時間のカウントダウン終了前に車両が停止される。これに伴い、時刻ｔ４において、その時点での駆動時間の残り時間が記憶される。
その後、時刻ｔ４と時刻ｔ７との間、すなわち、車両停止後かつ車両再起動前に、時刻ｔ５から時刻t６の期間でバッテリ冷却が実施されることにより、新たに凝縮水が発生する。【０１０２】
これに対し、時刻ｔ５において、記憶されている駆動時間の残り時間がリセットされると共に、駆動時間が所定時間（２５分）に再設定される。この再設定された駆動時間は、バッテリ冷却を実施中に発生する最大量の凝縮水を排出可能な駆動時間である。【０１０３】
このため、時刻ｔ７の車両の起動において、図１３のフローが起動し、再設定後の駆動時間のカウントダウンが開始され、この再設定後の時間が終了することにより、駆動時間のカウント終了前に残った残凝縮水に限らず、新たに発生した追加凝縮水も吹出口９９から通気部１７へ排出することができる。なお、この時刻ｔ７が、バッテリ冷却後の、次回の車両起動時である所定のタイミングに相当する。【０１０４】
この結果、新たに発生した追加凝縮水に対し、必要な駆動時間が確保されるので、凝縮水の排出信頼性を向上することができる。【０１０５】
［バッテリ加熱時の凝縮水排出制御作用］
車両起動時に外気温が低い場合にはバッテリの温度が低下しすぎる可能性が有る。このため、バッテリの温度調節機構としてバッテリを加熱する機能を備えることが望ましい。以下ではバッテリの加熱機構を備えた場合における、「バッテリ加熱時の凝縮水排出制御作用」について、図１５の動作フロー及び図１６の各動作のタイムチャートに基づいて詳しく説明する。【０１０６】
図１５のステップＳ１７からステップＳ２２までは、図１３のステップＳと同様であるので、対応するステップＳに同一符号を付して説明を省略する。また、図１５のフローは、図１３のフローと同様に、イグニッション・オンにより、車両が停止状態から起動された際に起動する。【０１０７】
ステップＳ２３では、例えば、冷風循環や低い外気温度の影響を受けて、バッテリパックBPの内部温度が低下し、第２設定温度より低い、予め定められた第３設定温度以上であるか否かを判定する。ここで、第３設定温度とは、バッテリパックBPの温度の低下に起因する内部抵抗の増大が極端に大きくなり、バッテリパックBPの能力（入出力電力）が設計的に要求される能力よりも低下するような低い温度であって、例えば０℃程度の温度である。ステップＳ２３でバッテリパックBPの温度が第３設定温度以上であれば加熱の必要は無いと判定してステップＳ１９へ進む。一方、バッテリパックBPの温度が第３設定温度より低い場合には加熱の必要が有ると判定して、ステップＳ２４へ進む。【０１０８】
ステップＳ２４では、バッテリパックBPの内部温度を上昇させるべく、バッテリ加熱（バッテリスタック２の加熱）が開始（実施）される（時刻ｔ８）。すなわち、温調ユニット３のPTCヒータ３６に通電し、ブロアファン３５を回転率１００％にて駆動させる。なお、ブロアファン３５は、１２Ｖバッテリにより駆動され、この１２Ｖバッテリは、車両起動中、バッテリパックBP（強電バッテリ）から電力が供給される。【０１０９】
ステップＳ２５では、時刻ｔ８にてバッテリ加熱が開始（実施）されたことにより、図１６の時刻ｔ７から開始された駆動時間のカウントダウンを停止すると共にクリア（駆動時間＝０をメモリに上書き）する（時刻ｔ８）。【０１１０】
時刻ｔ９では、バッテリ加熱により、第３設定温度以上までバッテリ温度が上昇したので、バッテリ加熱が終了される。このとき、回転率が１００％から０％に設定されて、ブロアファン３５が停止される。【０１１１】
なお、ステップＳ２３からステップＳ２５までの動作が、「バッテリ加熱時の凝縮水排出制御」に相当する。【０１１２】
以上の動作のうち、時刻ｔ７から駆動時間のカウントダウンが行われている場合、すなわち、凝縮水排出制御中に、時刻ｔ８において、バッテリ加熱が実施された場合、時刻ｔ８において、駆動時間のカウントダウンが終了したこととされる（駆動時間が０にメモリに上書きされる）。【０１１３】
これは、そのバッテリ加熱により、バッテリパックBP内の空気温度が上昇するので、ブロアファン３５による凝縮水の排出よりも、凝縮水の蒸発が促進され、水蒸気になった凝縮水の水量が増加する。なお、この温度上昇によるバッテリパックBPの内部圧力とこの外部圧力との関係は、上記の車両起動時の凝縮水排出制御作用にて述べた通りである。【０１１４】
このため、ブロアファン３５による凝縮水の排出よりも、バッテリ加熱による凝縮水の排出が優先される。【０１１５】
この結果、さらに多くの凝縮水の水蒸気を通気部１７から排出することができると共に、その水蒸気となった凝縮水をより一層排出しやすくすることができる。【０１１６】
次に、効果を説明する。
実施例１のバッテリ温調装置にあっては、下記に列挙する効果を得ることができる。【０１１７】
(1) バッテリモジュール（バッテリスタック２）と、
前記バッテリモジュール（バッテリスタック２）の温度（バッテリ温度）を検出する温度検出手段（温度センサＴ）と、
前記バッテリモジュール（バッテリスタック２）の温度（バッテリ温度）を調整するバッテリ温調手段（温調ユニット３、温調用コントローラ５２）と、
前記バッテリモジュール（バッテリスタック２）及び前記バッテリ温調手段（温調ユニット３、温調用コントローラ５２）を収納するバッテリパックケース１と、
を備えたバッテリ温調装置において、
前記バッテリパックケース１は、該バッテリパックケース１内部から外部への気体の通過を許容する通気部１７を有し、
前記バッテリ温調手段（温調ユニット３、温調用コントローラ５２）は、通過する空気を冷却する冷却用熱交換器（エバポレータ３２）と、前記冷却用熱交換器（エバポレータ３２）にて発生した凝縮水を貯める凝縮水貯水部３３と、前記冷却用熱交換器（エバポレータ３２）及び前記凝縮水貯水部３３近傍の空気を送風して前記バッテリパックケース１内に循環させる送風手段（ブロアファン３５）と、を有して構成され、
前記バッテリ温調手段（温調ユニット３、温調用コントローラ５２）は、
前記温度検出手段（温度センサＴ）によって検出されたバッテリモジュール（バッテリスタック２）の温度（バッテリ温度）が予め定められた所定温度（第１設定温度）より高い場合は、前記冷却用熱交換器（エバポレータ３２）によって通過する空気を冷却すると共に、前記送風手段（ブロアファン３５）を駆動してバッテリモジュール（バッテリスタック２）の冷却を実施し、
該バッテリモジュール（バッテリスタック２）の冷却の実施が終了した後の所定のタイミングで、前記温度検出手段（温度センサＴ）によって検出されるバッテリモジュール（バッテリスタック２）の温度（バッテリ温度）に関わらず、前記送風手段（ブロアファン３５）のみを駆動する。
このため、付加的な駆動部品等を追加しないことでレイアウトスペースを増大させることなく、バッテリパックケース１外部へ凝縮水を排出することができる。【０１１８】
(2) 該バッテリパックケース１は車両に搭載されて、前記バッテリモジュール（バッテリスタック２）は電力を車載機器へ供給する車両用電源装置であって、
前記所定のタイミングは、前記バッテリモジュール（バッテリスタック２）の冷却を実施後の、次回の車両起動時である（図１２、図１３）。
このため、(1)の効果に加え、より多くの水蒸気となった凝縮水を通気部１７から排出することができると共に、その水蒸気となった凝縮水を一層排出しやすくすることができる。【０１１９】
(3) 前記バッテリ温調手段（温調用コントローラ５２）は、前記バッテリモジュール（バッテリスタック２）の冷却を実施中の前記送風手段（ブロアファン３５）の駆動出力よりも、前記所定のタイミングにおいて駆動する際の前記送風手段（ブロアファン３５）の駆動出力を低く設定する。
このため、(1)〜(2)の効果に加え、ブロアファン３５の回転率を最小必要回転率まで下げることにより、ブロアファン３５による騒音、振動、及び消費電力を抑えることができる。【０１２０】
(4) 前記バッテリモジュール（バッテリスタック２）の冷却は、前記バッテリモジュール（バッテリスタック２）の充電時のみに実施する。
このため、(1)〜(3)の効果に加え、凝縮水貯水部３３の大きさ（容積等）を凝縮水の発生量に応じて適正化することで、温調ユニット３の一部のスペースを削減することができる。【０１２１】
(5) 前記バッテリモジュール（バッテリスタック２）は該バッテリパックケース１外部の電源である外部電源（充電スタンド１１８）と電気的に接続及び切断可能に構成されると共に、前記外部電源（充電スタンド１１８）と電気的に接続した状態で該外部電源（充電スタンド１１８）から供給される電力によって充電され、
前記バッテリモジュール（バッテリスタック２）の充電時は、該バッテリモジュール（バッテリスタック２）が前記外部電源（充電スタンド１１８）と接続されている時である。
このため、車両の航続可能距離を短縮すること無くバッテリスタック２を最適な温度に制御することができる。【０１２２】
(6) 前記バッテリ温調手段（温調用コントローラ５２）は、
前記送風手段（ブロアファン３５）のみの駆動開始から所定の駆動時間の間、前記送風手段（ブロアファン３５）のみを駆動し、
前記駆動時間を、前記凝縮水の発生量から決定し、該凝縮水の発生量を、前記バッテリパックケース１の空気体積、前記バッテリモジュール（バッテリスタック２）の冷却使用頻度、及び、代表環境温湿度から決定する。
このため、(1)〜(5)の効果に加え、バッテリパックケース１内、または、温調ユニット３の部品点数を削減することができる。【０１２３】
(7) 前記バッテリ温調手段（温調用コントローラ５２）は、前記送風手段（ブロアファン３５）のみの駆動開始からの経過時間をカウントし、その経過時間が前記所定の駆動時間となる前に車両が停止した場合、そのカウントを停止すると共に前記経過時間と所定の駆動時間との差を記憶し、次回の車両起動時には該車両起動からの経過時間が前記経過時間と所定の駆動時間との差となるまで前記送風手段（ブロアファン３５）のみを駆動する（図１３）。
このため、(6)の効果に加え、バッテリ冷却を実施中に発生した凝縮水に応じた凝縮水量に対し、必要な駆動時間が確保されるので、凝縮水の排出信頼性を向上することができる。【０１２４】
(8)前記バッテリ温調手段（温調用コントローラ５２）は、前記送風手段（ブロアファン３５）のみの駆動開始からの経過時間をカウントし、その経過時間が前記所定の駆動時間となる前に車両が停止した場合、そのカウントを停止すると共に前記経過時間と所定の駆動時間との差を記憶し、車両停止後かつ次回の車両起動時前に、前記バッテリモジュール（バッテリスタック２）の冷却が実施された場合、停止したカウントをリセットし、前記所定の駆動時間を設定する（図１２、図１３、図１６）。
このため、(6)〜(7)の効果に加え、新たに発生した追加凝縮水に対し、必要な駆動時間が確保されるので、凝縮水の排出信頼性を向上することができる。【０１２５】
(9) 前記バッテリ温調手段（温調ユニット３、温調用コントローラ５２）は、加熱用のヒータ（PTCヒータ３６）を有し、
前記バッテリ温調手段（温調用コントローラ５２）は、前記駆動時間をカウントしている場合に、前記ヒータ（PTCヒータ３６）を駆動して前記バッテリモジュール（バッテリスタック２）の加熱を実施する場合、そのカウントを停止すると共に該駆動時間をゼロにする（図１５、図１６）。
このため、(6)〜(8)の効果に加え、さらに多くの凝縮水の水蒸気を通気部１７から排出することができると共に、その水蒸気となった凝縮水をより一層排出しやすくすることができる。【０１２６】
(10) 前記バッテリ温調手段（温調ユニット３、温調用コントローラ５２）は、前記凝縮水貯水部３３を有する通風経路部（ユニットケース３１、ユニットダクト３７）を有し、
前記送風手段（ブロアファン３５）は、前記通風経路部（ユニットケース３１、ユニットダクト３７）を通じて前記冷却用熱交換器（エバポレータ３２）及び前記凝縮水貯水部３３近傍の空気を送風して前記バッテリパックケース１内に循環させる手段であり、
前記通風経路部（ユニットケース３１、ユニットダクト３７）に、少なくとも前記通気部１７の近傍まで延びるダクト（配風ダクト９）を接続し、
前記送風手段（ブロアファン３５）が送風する前記冷却用熱交換器（エバポレータ３２）及び前記凝縮水貯水部３３近傍の空気を、前記通気部１７へ向かって吹き出す吹出口９９を前記ダクト（配風ダクト９）に設けた。
このため、(1)〜(9)の効果に加え、凝縮水の排出信頼性を向上することができる。【０１２７】
以上、本発明のバッテリ温調装置を実施例１に基づき説明してきたが、具体的な構成については、この実施例に限られるものではなく、請求の範囲の各請求項に係る発明の要旨を逸脱しない限り、設計の変更や追加等は許容される。【０１２８】
実施例１では、バッテリパックBPを車両の床下に配置する例を示した。しかしながら、実施例１に示した構成に限られるものではない。例えば、バッテリパックを車両のラゲージルーム等に配置するようにしてもよい。【０１２９】
実施例１では、バッテリモジュールとして、バッテリモジュールが複数積層されたバッテリスタック２（バッテリモジュール群）の例を示した。しかしながら、実施例１に示した構成に限られるものではない。例えば、バッテリモジュールとしては、複数積層されることなく配置されたバッテリモジュールも含まれる。【０１３０】
実施例１では、温調ユニット３として、冷風と温風を共に作り出すユニットの例を示した。しかしながら、実施例１に示した構成に限られるものではない。例えば、温調ユニットとしては、エバポレータを有し、冷風のみを作り出すユニットとしてもよい。【０１３１】
実施例１では、冷却用熱交換器をエバポレータ３２とする例を示した。しかしながら、エバポレータ３２に限られるものではない。すなわち、通過する空気から熱を奪って冷風を作り出すことができるものであればよい。例えば、ペルチェ素子等でもよい。【０１３２】
実施例１では、送風手段をブロアファン３５とする例を示した。しかしながら、ブロアファン３５に限られるものではない。すなわち、エバポレータ３２及び凝縮水貯水部３３近傍の空気（水蒸気）を送風して、バッテリパックケース１内に循環させることができるものであればよい。これにより、エバポレータ３２及び凝縮水貯水部３３近傍の空気（水蒸気）を通気部１７近傍へ送風することができるものであればよい。【０１３３】
実施例１では、ブロアファン３５の駆動時間中の回転率を、４０％に設定した。しかしながら、これに限られるものではない。例えば、ブロアファン３５その他の送風手段の性能に応じて異ならせてもよい。また、水蒸気となった凝縮水の排出効率を上げるために、回転率を４０％以上にしてもよい。【０１３４】
実施例１では、ヒータをPTCヒータ３６とする例を示した。しかしながら、PTCヒータ３６に限られるものではない。すなわち、通過する空気を加熱することができるものであればよい。【０１３５】
実施例１では、通気部１７の構成として、ゴアテックス（登録商標）等の素材（膜）を用いる例を示した。しかしながら、実施例１に示した構成に限られるものではない。すなわち、通気部１７は、バッテリパックケース１内部から外部への気体の通過を許容するものであればよい。また、好ましくは、バッテリパックケース１内部から外部への気体の通過を許容すると共に、バッテリパックケース１外部から内部への液体の通過を防止するものが望ましい。【０１３６】
実施例１では、吹出口９９を通気部１７と対向している位置に配置する例を示した。しかしながら、吹出口９９の配置はこれに限られるものではない。すなわち、ブロアファン３５が送風するエバポレータ３２及び凝縮水貯水部３３近傍の空気を、通気部１７へ向かって吹き出す位置に配置されていればよい。【０１３７】
実施例１では、通気部１７及び吹出口９９を２つとする例を示した。しかしながら、実施例１に示した構成に限られるものではない。すなわち、バッテリパックケース１内の各構成の配置等から、水蒸気となった凝縮水が最も排出されやすい通気部１７及び吹出口９９の数・配置・形状・大きさとしてもよい。例えば、通気部１７及び吹出口９９の数はそれぞれ１つまたは３つ以上としてもよいし、通気部１７及び吹出口９９の数が同数でなくてもよい。また、その配置、形状及び大きさは、通気部１７及び吹出口９９の両方ともに同じでもよいし、通気部１７を２つ以上有する場合には、通気部１７の中で異ならせてもよい。吹出口９９でも同様とする。【０１３８】
実施例１では、バッテリパックケース１の内部空間に、温調ユニット３と配風ダクト９を配置する例を示した。しかしながら、実施例１に示した構成に限られるものではない。例えば、バッテリパックケースの内部空間に温調ユニットのみを配置し、ユニットダクトからバッテリスタックの隙間を経由してバッテリスタックに配風するような配風ダクト無しとしてもよい。【０１３９】
実施例１では、通風経路部（ユニットケース３１、ユニットダクト３７）に、凝縮水を貯める凝縮水貯水部３３を有している構成を示した。しかしながら、実施例１に示した構成に限られるものではない。例えば、凝縮水貯水部３３から通風経路部（ユニットケース３１、ユニットダクト３７）内にて、相対的に凝縮水の水蒸気を含む風速が速い部分まで連続して、凝縮水の表面積を増大させる吸湿シート（凝縮水表面積増大処理部）を有していてもよい。具体的には、吸水材を設けてもよいし、または、凝縮水貯水部３３等の表面自体に親水加工を施してもよい。これにより、凝縮水の蒸発が促進されるので、より多くの凝縮水を水蒸気として排出することができる。【０１４０】
実施例１では、凝縮水排出制御の開始時タイミング（所定のタイミング）として、バッテリ冷却実施後の、次回の車両起動時とする例を示した。すなわち、バッテリパックBPの内部圧力と外部圧力との間に、圧力差が生じる別のタイミングに、凝縮水排出制御を開始してもよい。例えば、その開始タイミングとして、圧力差が生じる夜または朝、外気温が低いとき等としてもよい。ただし、夜または朝ときには、タイマー等に基づき、ブロアファン３５を駆動し、上記制御を実施する。また、外気温が低いときには、外気温を検知、又は外気温度とバッテリパックBP内部の空気温度（バッテリ温度）に基づき、ブロアファン３５を駆動し、上記制御を実施する。これにより、バッテリパックBPの内部圧力と外部圧力との間に圧力差が生じ、凝縮水の水蒸気をより一層排出しやすくすることができる。【０１４１】
実施例１では、バッテリ冷却を充電時のみに実施する例を示した。しかしながら、実施例１に示した充電時に限られるものではない。例えば、バッテリパックBPの内部温度が第１設定温度より高くなった場合には、車両起動中でもバッテリ冷却を実施してもよい。ただし、新たに発生する凝縮水を排出するために、「バッテリ冷却時の凝縮水排出制御作用」に記載したように、図１２のステップＳ１３に基づき予め定めた所定時間が駆動時間として再設定され、凝縮水排出制御が実施される。【０１４２】
実施例１では、本発明のバッテリ温調装置を走行用駆動源として走行用モータのみを搭載した電気自動車に適用する例を示した。しかしながら、実施例１に電気自動車に限られるものではない。すなわち、本発明のバッテリ温調装置は、走行用駆動源として走行用モータとエンジンを搭載したハイブリッド車に対しても適用することができる。
【関連出願の相互参照】
【０１４３】
本出願は、２０１３年１０月３日に日本国特許庁に出願された特願２０１３−２０８３３４に基づいて優先権を主張し、その開示は本明細書で参照により組み込まれる。
【図１】
2015050226.tif 000003
【図２】
2015050226.tif 000004
【図３】
2015050226.tif 000005
【図４】
2015050226.tif 000006
【図５】
2015050226.tif 000007
【図６】
2015050226.tif 000008
【図７】
2015050226.tif 000009
【図８】
2015050226.tif 000010
【図９】
2015050226.tif 000011
【図１０】
2015050226.tif 000012
【図１１】
2015050226.tif 000013
【図１２】
2015050226.tif 000014
【図１３】
2015050226.tif 000015
【図１４】
2015050226.tif 000016
【図１５】
2015050226.tif 000017
【図１６】
2015050226.tif 000018
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
バッテリモジュールと、
前記バッテリモジュールの温度を検出する温度検出手段と、
前記バッテリモジュールの温度を調整するバッテリ温調手段と、
前記バッテリモジュール及び前記バッテリ温調手段を収納するバッテリパックケースと、
を備えたバッテリ温調装置において、
前記バッテリパックケースは、該バッテリパックケース内部から外部への気体の通過を許容する通気部を有し、
前記バッテリ温調手段は、通過する空気を冷却する冷却用熱交換器と、前記冷却用熱交換器にて発生した凝縮水を貯める凝縮水貯水部と、前記冷却用熱交換器及び前記凝縮水貯水部近傍の空気を送風して前記バッテリパックケース内に循環させる送風手段と、を有して構成され、
前記バッテリ温調手段は、
前記温度検出手段によって検出されたバッテリモジュールの温度が予め定められた所定温度より高い場合は、前記冷却用熱交換器によって通過する空気を冷却すると共に、前記送風手段を駆動してバッテリモジュールの冷却を実施し、
該バッテリモジュールの冷却の実施が終了した後の所定のタイミングで、前記温度検出手段によって検出されるバッテリモジュールの温度に関わらず、前記送風手段のみを駆動し、
前記バッテリモジュールの冷却を実施中の前記送風手段の駆動出力よりも、前記所定のタイミングにおいて駆動する際の前記送風手段の駆動出力を低く設定する
ことを特徴とするバッテリ温調装置。
【請求項２】
請求項１に記載されたバッテリ温調装置において、
該バッテリパックケースは車両に搭載されて、前記バッテリモジュールは電力を車載機器へ供給する車両用電源装置であって、
前記所定のタイミングは、前記バッテリモジュールの冷却を実施後の、次回の車両起動時である
ことを特徴とするバッテリ温調装置。
【請求項３】
（削除）
【請求項４】
請求項１または請求項２に記載されたバッテリ温調装置において、
前記バッテリモジュールの冷却は、前記バッテリモジュールの充電時のみに実施する
ことを特徴とするバッテリ温調装置。
【請求項５】
請求項４のバッテリ温調装置において、
前記バッテリモジュールは該バッテリパックケース外部の電源である外部電源と電気的に接続及び切断可能に構成されると共に、前記外部電源と電気的に接続した状態で該外部電源から供給される電力によって充電され、
前記バッテリモジュールの充電時は、該バッテリモジュールが前記外部電源と接続されている時である
ことを特徴とするバッテリ温調装置。
【請求項６】
請求項１，２，４，５の何れか一項に記載されたバッテリ温調装置において、
前記バッテリ温調手段は、
前記送風手段のみの駆動開始から所定の駆動時間の間、前記送風手段のみを駆動し、
前記駆動時間を、前記凝縮水の発生量から決定し、該凝縮水の発生量を、前記バッテリパックケースの空気体積、前記バッテリモジュールの冷却使用頻度、及び、代表環境温湿度から決定する
ことを特徴とするバッテリ温調装置。
【請求項７】
請求項６に記載されたバッテリ温調装置において、
前記バッテリ温調手段は、前記送風手段のみの駆動開始からの経過時間をカウントし、その経過時間が前記所定の駆動時間となる前に車両が停止した場合、そのカウントを停止すると共に前記経過時間と所定の駆動時間との差を記憶し、次回の車両起動時には該車両起動からの経過時間が前記経過時間と所定の駆動時間との差となるまで前記送風手段のみを駆動する
ことを特徴とするバッテリ温調装置。
【請求項８】
請求項６または請求項７に記載されたバッテリ温調装置において、
前記バッテリ温調手段は、前記送風手段のみの駆動開始からの経過時間をカウントし、その経過時間が前記所定の駆動時間となる前に車両が停止した場合、そのカウントを停止すると共に前記経過時間と所定の駆動時間との差を記憶し、車両停止後かつ次回の車両起動時前に、前記バッテリモジュールの冷却が実施された場合、停止したカウントをリセットし、前記所定の駆動時間を設定する
ことを特徴とするバッテリ温調装置。
【請求項９】
請求項６から請求項８までの何れか一項に記載されたバッテリ温調装置において、
前記バッテリ温調手段は、加熱用のヒータを有し、
前記バッテリ温調手段は、前記駆動時間をカウントしている場合に、前記ヒータを駆動して前記バッテリモジュールの加熱を実施する場合、そのカウントを停止すると共に該駆動時間をゼロにする
ことを特徴とするバッテリ温調装置。
【請求項１０】
請求項１，２，請求項４から請求項９までの何れか一項に記載されたバッテリ温調装置において、
前記バッテリ温調手段は、前記凝縮水貯水部を有する通風経路部を有し、
前記送風手段は、前記通風経路部を通じて前記冷却用熱交換器及び前記凝縮水貯水部近傍の空気を送風して前記バッテリパックケース内に循環させる手段であり、
前記通風経路部に、少なくとも前記通気部の近傍まで延びるダクトを接続し、
前記送風手段が送風する前記冷却用熱交換器及び前記凝縮水貯水部近傍の空気を、前記通気部へ向かって吹き出す吹出口を前記ダクトに設けた
ことを特徴とするバッテリ温調装置。
【国際調査報告】
2015050226.tif 000019
2015050226.tif 000020
2015050226.tif 000021
2015050226.tif 000022